(57)【要約】【課題】光学部材に要求される中心光度と集光性能とを向上しつつ、光学部材の成形時間の延長を抑制することができる照明装置および光学部材を提供する。【解決手段】光学部材５０において、段部５２５を構成する複数の段のそれぞれは、突出部５１３に近づくにつれて、漸次縮径し、かつ、出射表面５２５ａ及び壁面５２５ｂの少なくとも一方の幅が狭くなる。この照明装置１では、光源３０４の光軸Ｊを含む平面で切断した光学部材５０の断面を断面視した場合において、第１透光部５１０の肉厚部分における第１入射面５１２と第１出射面５１４とに接する第１仮想円Ｋ１の最大直径が、第３透光部５３０の第２入射面５２２、出射表面５２５ａ又は壁面５２５ｂと光学部材５０の外周面５０１とに内接する第２仮想円Ｋ２の最大直径よりも大きい。【選択図】図３
2018147746.tif 000002
【特許請求の範囲】
【請求項１】
光源と、
前記光源の光軸上に設けられる光学部材とを備え、
前記光学部材は、
前記光源から遠ざかる方向に向かって突出する構造である突出部を有し、前記光源から入射した光を透光させて出射する第１透光部と、
前記第１透光部から前記突出部の周囲を囲むように前記光源から遠ざかる方向に向かって突出する第２透光部と、
前記第１透光部から前記第２透光部と反対側に突出する第３透光部とを有し、
前記第２透光部の内面には、環状の段部が形成され、
前記段部を構成する複数の段のそれぞれは、
光が出射する出射表面と、前記出射表面と略直交する壁面とを有し、
前記突出部に近づくにつれて、漸次縮径し、かつ、前記出射表面及び前記壁面の少なくとも一方の幅が狭くなり、
前記第１透光部は、前記光源からの光が入射する入射面と、前記突出部に形成された前記入射面の反対側の出射面とを有し、
前記光源の前記光軸を含む平面で切断した前記光学部材の断面を断面視した場合において、前記第１透光部の肉厚部分における前記入射面と前記出射面とに接する第１仮想円の最大直径が、前記第３透光部の内周面、前記出射表面又は前記壁面と前記光学部材の外周面とに内接する第２仮想円の最大直径よりも大きい
照明装置。
【請求項２】
前記第２仮想円は、複数の前記段ごとに想定され、
各々の前記第２仮想円の直径は、略同一である
請求項１に記載の照明装置。
【請求項３】
前記段部を構成する複数の段は、前記突出部に近づくにつれて、前記壁面の幅が狭くなる
請求項１又は２に記載の照明装置。
【請求項４】
前記段部を構成する複数の段は、前記突出部に近づくにつれて、前記出射表面の幅が狭くなる
請求項１〜３のいずれか１項に記載の照明装置。
【請求項５】
前記光源と前記光学部材の最外周部分とを結ぶ光路には、障壁が存在しない
請求項１〜４のいずれか１項に記載の照明装置。
【請求項６】
前記突出部は、フレネルレンズ形状である
請求項１〜５のいずれか１項に記載の照明装置。
【請求項７】
光源の光軸上に設けられる光学部材であって、
前記光源から遠ざかる方向に向かって突出する構造である突出部を有し、前記光源から入射した光を透光させて出射する第１透光部と、
前記第１透光部から前記突出部の周囲を囲むように前記光源から遠ざかる方向に向かって突出する第２透光部と、
前記第１透光部から前記第２透光部と反対側に突出する第３透光部とを備え、
前記第２透光部の内面には、環状の段部が形成され、
前記段部を構成する複数の段のそれぞれは、
光が出射する出射表面と、前記出射表面と略直交する壁面とを有し、
前記突出部に近づくにつれて、漸次縮径し、かつ、前記出射表面及び前記壁面の少なくとも一方の幅が狭くなり、
前記第１透光部は、前記光源からの光が入射する入射面と、前記突出部に形成された前記入射面の反対側の出射面とを有し、
前記光源の前記光軸を含む平面で切断した前記光学部材の断面を断面視した場合において、前記第１透光部の肉厚部分における前記入射面と前記出射面とに接する第１仮想円の最大直径が、前記第３透光部の内周面、前記出射表面又は前記壁面と前記光学部材の外周面とに内接する第２仮想円の最大直径よりも大きい
光学部材。
【発明の詳細な説明】
【技術分野】
【０００１】
本発明は、照明装置および照明装置に用いられる光学部材に関する。
【背景技術】
【０００２】
従来、光軸上に前方へ向けて配置された発光素子（光源の一例）と、発光素子を前方側から覆うように配置された透光部材（光学部材の一例）とを備えた車両用灯具（照明装置の一例）が知られている（例えば、特許文献１参照）。透光部材の前面には、略均一な段状の帯状突起部が複数形成されている。
【先行技術文献】
【特許文献】
【０００３】
【特許文献１】特開２０１１−２２２３３９号公報
【発明の概要】
【発明が解決しようとする課題】
【０００４】
しかしながら、通常、透光部材を成形する際には、帯状突起部の角に丸みを付ける。このため、透光部材を透光する光が帯状突起部の角に入射すると、意図した方向に光の向きを制御することができない。このため、照明装置が出射する光の中心光度の低下およびビーム角の拡大が生じてしまう。
【０００５】
また、透光部材に段部を設けることで、透光部材の成形時間の延長を抑制したいという要望がある。
【０００６】
そこで、本発明では、光学部材に要求される中心光度と集光性能とを向上しつつ、光学部材の成形時間の延長を抑制することができる照明装置および光学部材を提供することを目的とする。
【課題を解決するための手段】
【０００７】
上記課題を解決するために、本発明に係る照明装置の一態様は、光源と、前記光源の光軸上に設けられる光学部材とを備え、前記光学部材は、前記光源から遠ざかる方向に向かって突出する構造である突出部を有し、前記光源から入射した光を透光させて出射する第１透光部と、前記第１透光部から前記突出部の周囲を囲むように前記光源から遠ざかる方向に向かって突出する第２透光部と、前記第１透光部から前記第２透光部と反対側に突出する第３透光部とを有し、前記第２透光部の内面には、環状の段部が形成され、前記段部を構成する複数の段のそれぞれは、光が出射する出射表面と、前記出射表面と略直交する壁面とを有し、前記突出部に近づくにつれて、漸次縮径し、かつ、前記出射表面及び前記壁面の少なくとも一方の幅が狭くなり、前記第１透光部は、前記光源からの光が入射する入射面と、前記突出部に形成された前記入射面の反対側の出射面とを有し、前記光源の前記光軸を含む平面で切断した前記光学部材の断面を断面視した場合において、前記第１透光部の肉厚部分における前記入射面と前記出射面とに接する第１仮想円の最大直径が、前記第３透光部の内周面、前記出射表面又は前記壁面と前記光学部材の外周面とに内接する第２仮想円の最大直径よりも大きい。
【０００８】
また、上記課題を解決するために、本発明に係る光学部材の一態様は、光源の光軸上に設けられる光学部材であって、前記光源から遠ざかる方向に向かって突出する構造である突出部を有し、前記光源から入射した光を透光させて出射する第１透光部と、前記第１透光部から前記突出部の周囲を囲むように前記光源から遠ざかる方向に向かって突出する第２透光部と、前記第１透光部から前記第２透光部と反対側に突出する第３透光部とを備え、前記第２透光部の内面には、環状の段部が形成され、前記段部を構成する複数の段のそれぞれは、光が出射する出射表面と、前記出射表面と略直交する壁面とを有し、前記突出部に近づくにつれて、漸次縮径し、かつ、前記出射表面及び前記壁面の少なくとも一方の幅が狭くなり、前記第１透光部は、前記光源からの光が入射する入射面と、前記突出部に形成された前記入射面の反対側の出射面とを有し、前記光源の前記光軸を含む平面で切断した前記光学部材の断面を断面視した場合において、前記第１透光部の肉厚部分における前記入射面と前記出射面とに接する第１仮想円の最大直径が、前記第３透光部の内周面、前記出射表面又は前記壁面と前記光学部材の外周面とに内接する第２仮想円の最大直径よりも大きい。
【発明の効果】
【０００９】
本発明によれば、照明装置が出射する光の中心光度と集光性能とを向上することができる。
【図面の簡単な説明】
【００１０】
【図１】実施の形態に係る照明装置の外観を示す斜視図である。
【図２】実施の形態に係る照明装置の一部を示す分解斜視図である。
【図３】実施の形態に係る照明装置の一部を示す断面図である。
【図４】実施の形態に係る照明装置における反射部材、光学部材及び光制御部材を示す部分拡大断面図である。
【図５】実施の形態に係る光学部材を示す断面図である。
【図６】比較例に係る光学部材を示す断面図である。
【発明を実施するための形態】
【００１１】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
また、「略＊＊」との記載は、「略同一」を例に挙げて説明すると、全く同一はもとより、実質的に同一と認められるものを含む意図である。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態）
以下、本発明の実施の形態に係る照明装置について説明する。
【００１５】
［構成］
まず、本実施の形態に係る照明装置の構成について図１〜図５を用いて説明する。
【００１６】
図１は、実施の形態に係る照明装置１の外観を示す斜視図である。図２は、実施の形態に係る照明装置１の一部を示す分解斜視図である。図３は、実施の形態に係る照明装置１の一部を示す断面図である。図４は、実施の形態に係る照明装置１における反射部材４０、光学部材５０及び光制御部材６０を示す部分拡大断面図である。図４における太い実線は、光源３０４からの光を示している。図５は、実施の形態に係る光学部材５０を示す断面図である。
【００１７】
図１では、照明装置１において、光制御部材６０側をＸ軸プラス方向側（前側）と規定し、灯体１０に対する電源ボックス９０側をＺ軸プラス方向側（上側）と規定し、Ｘ軸プラス方向およびＺ軸プラス方向と交差する方向をＹ軸プラス方向側（右側）と規定し、前後、左右及び上下の各方向を表示する。そして、図１以降の各図に示す各方向は、全て図２に示す各方向に対応させて表示する。なお、上下方向、左右方向及び前後方向は、使用者の使用態様によって変化するため、これには限定されない。
【００１８】
図１及び図２に示されるように、照明装置１は、灯体１０、発光モジュール３０、取付部材３２、反射部材４０、光学部材５０、光制御部材６０、アーム７０及び電源ボックス９０を備えている。
【００１９】
灯体１０は、発光モジュール３０、取付部材３２、反射部材４０、光学部材５０、光制御部材６０等を内部に配置する。灯体１０は、金属製であり、発光モジュール３０から発生した熱を放熱するヒートシンクとして機能する。本実施の形態では、灯体１０は、例えばアルミダイカスト工程を経て形成される。灯体１０の外表面の塗装色は、照明装置１の用途などに応じて選択されてもよい。
【００２０】
図３に示すように、灯体１０は、前後方向に延びる円筒状をなした筒状部１１と、筒状部１１と一体的に形成され、筒状部１１の内部空間を前方空間１２１と後方空間１２２とに仕切る隔壁部１６とを有している。隔壁部１６は、筒状部１１と一体的に形成されていることにより、発光モジュール３０から発生した熱を効率よく筒状部１１に伝導させる。筒状部１１は、外部に露出しているため、外部の空気によって冷却される。
【００２１】
筒状部１１は、前側の端部で開く前方開口部１１１と、後側の端部で開く後方開口部１１２とを有している。前方開口部１１１は、筒状部１１の前方空間１２１の前端に位置している。後方開口部１１２は、筒状部１１の後方空間１２２の後端に位置している。
【００２２】
前方空間１２１には、発光モジュール３０が隔壁部１６の一方側の面（前面）である取付面１６１に取り付けられる。また、前方空間１２１には、取付部材３２、反射部材４０、光学部材５０及び光制御部材６０が前方に向かってこの並び順で配置されている。
【００２３】
発光モジュール３０は、筒状部１１の前方空間１２１に配置され、照明装置１の出射光となる光を出射する。本実施の形態では、発光モジュール３０は、ＬＥＤ（Ｌｉｇｈｔ  Ｅｍｉｔｔｉｎｇ  Ｄｉｏｄｅ）を有するモジュールであって、所定の光を放射状に出射するＬＥＤ光源である。例えば、発光モジュール３０の光源３０４は、白色光を出射するように構成されている。
【００２４】
図２に示すように、発光モジュール３０は、ＣＯＢ（Ｃｈｉｐ  Ｏｎ  Ｂｏａｒｄ）型ＬＥＤで構成され、基台３０２と、基台３０２上に実装されたベアチップ（ＬＥＤチップ）である複数の光源３０４と、それら光源３０４を封止し、蛍光体を含む封止部材とを有している。なお、本実施の形態では、封止部材は全ての光源３０４を一括封止しているが、封止部材の構成はこれに限られない。ライン状に配列された光源３０４の配列方向に沿って複数本のライン状に封止部材を形成する構成としてもよい。
【００２５】
図２および図３に示すように、基台３０２は、複数の光源３０４を実装するための実装基板であって、例えばセラミックス基板、樹脂基板又は絶縁被覆されたメタルベース基板などである。また、基台３０２は、例えば正面視において矩形である平面を有する板状であり、基台３０２の底面（後方向側の面）が隔壁部１６の取付面１６１に取り付けられることによって固定される。なお、図示しないが、基台３０２には、光源３０４を発光させるための直流電力を外部から受電するための一対の電極端子（正電極端子及び負電極端子）が形成されている。なお、正面視とは、照明装置１と相対するように前方向側（光軸Ｊにおける照射方向側（Ｘ軸プラス方向側））から見た場合であり、ここでは基台３０２を前側からみた場合である。ここでいう、正面とは前面である。
【００２６】
取付部材３２は、発光モジュール３０を隔壁部１６の取付面１６１に取り付けるための部材である。取付部材３２は、例えば、ポリブチレンテレフタレート（ＰＢＴ）、ポリカーボネートなどの樹脂材料を用いている。取付部材３２は、一対の係止部３２４と、規制部３２２とを有している。
【００２７】
係止部３２４は、反射部材４０を支持するため爪状の部分であり、図３における反射部材４０の被係止部４４０に係止する。
【００２８】
規制部３２２は、中央に中央開口部３２３を有する矩形枠状の形状である。規制部３２２は、発光モジュール３０の位置を規制している。規制部３２２の中央開口部３２３は、発光モジュール３０に対応する形状を有し、当該中央開口部３２３から発光モジュール３０の光源３０４を露出させる。
【００２９】
また、取付部材３２は、隔壁部１６の取付面１６１に配置され、二つの接続部材３６及び二つのねじ３８によって、隔壁部１６に固定される。これにより、取付部材３２及びその中央開口部３２３に配置された発光モジュール３０が隔壁部１６に固定される。
【００３０】
接続部材３６は、発光モジュール３０へ電流を供給する図示しない配線を固定する部材であり、発光モジュール３０の位置を規制する。接続部材３６は、例えば、ＰＢＴ、ポリカーボネートなどの樹脂材料を用いている。接続部材３６には、ねじ３８が貫通する貫通孔が形成されている。接続部材３６は、当該貫通孔に挿入されたねじ３８によって、隔壁部１６及び取付部材３２に固定される。その際、接続部材３６が発光モジュール３０を隔壁部１６に向けて押さえることにより、発光モジュール３０の位置を規制する。
【００３１】
一方の接続部材３６には高電位側の配線が接続され、他方の接続部材３６には低電位側の配線が接続されている。接続部材３６には、発光モジュール３０へ電流を供給する電極が設けられている。当該電極は、発光モジュール３０に形成された電極端子に接続される。接続部材３６の電極は、銅などの導電性部材を用いている。
【００３２】
反射部材４０は、発光モジュール３０からの光の配光を制御する部材であり、例えば、ポリブチレンテレフタレート（ＰＢＴ）など硬質の白色樹脂材料を用いている。反射部材４０は、光源３０４からの光を光学部材５０に向けて反射させる。反射部材４０は、光軸Ｊが貫通する開口部４０３が形成された略筒状の形状を有する。
【００３３】
反射部材４０は、光源３０４からの光が入射する側（後側）の端部から、当該光が出射する側（前側）の端部に向かって内径が漸次大きくなるように構成された円筒状をなしている。反射部材４０の内面では、光源３０４からの光が反射される。
【００３４】
図４に示すように、反射部材４０は、収容部４０１と、枠体部４０５とを有している。
【００３５】
収容部４０１は、当該光が出射される側（前側）の端部に向かって内径が漸次大きくなるように構成された円筒状をなしている。収容部４０１は、前端が開いており、後方側が有底である。収容部４０１における底部４０２の中央部分には、光軸Ｊが貫通する開口部４０３が形成されている。底部４０２には、外周縁から後方に向かって延びる筒状の枠体部４０５が設けられている。枠体部４０５は、開口部４０３を形成している。
【００３６】
枠体部４０５は、後方に向かって次第に狭まっている。枠体部４０５により、光源３０４からの光が光学部材５０に向けて反射する。枠体部４０５は、光源３０４の周囲を囲むように設けられている。
【００３７】
図２及び図３に示すように、反射部材４０の外周側には、取付部材３２の係止部３２４に係止される被係止部４４０が設けられている。被係止部４４０は、反射部材４０の外周側に立設された部材に設けられた孔である。被係止部４４０が係止部３２４に係止されることにより、反射部材４０は、取付部材３２に係止される。これにより、反射部材４０は、取付部材３２を介して隔壁部１６に取り付けられる。
【００３８】
光学部材５０は、光源３０４の光軸Ｊ上に設けられる透光性の部材である。光学部材５０は、光源３０４から入射された光を透光させて、光の向きを制御して出射させる。光学部材５０は、反射部材４０の収容部４０１に収容されている。光学部材５０は、透光性材料を用いて形成されており、例えばＰＭＭＡ（アクリル）、ポリカーボネートなどの透明樹脂材料、又は、ガラス材料などの透明材料によって、金型を用いて形成することができる。光学部材５０は、円錐状の筒体であり、後方に向かって漸次小さくなるように構成されている。光学部材５０の外周面５０１は、後述する第２入射面５２２（内周面の一例）から入射した光源３０４からの光が反射するように形成されている。外周面５０１は、このような光が全反射するように構成されていることが好ましい。また、外周面５０１には、光反射部材が設けられていてもよい。
【００３９】
図４に示すように、光学部材５０は、第１透光部５１０と、第２透光部５２０と、第３透光部５３０とを有している。
【００４０】
第１透光部５１０は、光源３０４から入射した光を透光させて出射する。第１透光部５１０は、光軸Ｊ上に存在し、正面視で略円板状をなしたレンズを有する。第１透光部５１０は、第１入射面５１２（入射面の一例）と、第１出射面５１４（出射面の一例）とを有している。
【００４１】
第１入射面５１２は、光源３０４と対向する面であり、光源３０４からの光が入射する面である。第１入射面５１２は、光軸Ｊと略直交している。第１入射面５１２は、円形な平面状をなし、光を拡散させるため（色斑などを抑制するため）の拡散構造を有していてもよい（拡散処理が施されている）。拡散構造は、例えば、第１入射面５１２に光拡散膜（多数の微小な凹凸形状のディンプルなど）を形成することで第１入射面５１２に光拡散機能を持たせることができる。また、拡散構造は、光拡散機能を有するフィルムなどが第１入射面５１２に貼り付けられることで、光拡散機能を持たせることができてもよい。この場合、光の色斑や、光の輝度斑の発生を抑制することができる。
【００４２】
第１出射面５１４は、突出部５１３に形成された第１入射面５１２とは反対側の面であり、透光した光が出射する面である。第１出射面５１４は、光軸Ｊと略直交し、円形な凹凸面である。
【００４３】
本実施の形態では、第１透光部５１０は、光源３０４から遠ざかる方向に向かって突出する構造である突出部５１３を有している。突出部５１３は、フレネルレンズ形状である。フレネルレンズは、第１透光部５１０の前側に形成されている。第１透光部５１０は、光軸Ｊと交差する上下方向及び左右方向で規定される平面と略平行となるように設けられている。
【００４４】
第１透光部５１０は、中心突出部５１５（突出部５１３の一部）と、第１環状突出部５１６（突出部５１３の一部）と、第２環状突出部５１７（突出部５１３の一部）とを有している。
【００４５】
中心突出部５１５は、光源３０４から遠ざかる方向に向かって突出している。中心突出部５１５は、フレネルレンズの一部を構成している。中心突出部５１５は、略球状の曲面である出射曲面５１５ａを有している。中心突出部５１５の中心軸は、光軸Ｊと略一致していることが好ましい。なお、出射曲面５１５ａは、略球状の曲面に限らず、回転２次曲面、回転放物面、回転双曲線等の曲面であってもよい。
【００４６】
第１環状突出部５１６は、中心突出部５１５の周囲を囲むように設けられている環状の凸部である。第１環状突出部５１６は、フレネルレンズの一部を構成している。第１環状突出部５１６の中心軸は、光軸Ｊと略一致していることが好ましい。第１環状突出部５１６は、断面視で略三角形状をなし、前方に向かうに従って先細になっている。
【００４７】
第１環状突出部５１６は、第１環状出射面５１６ａと、第１環状反射面５１６ｂとを有している。第１環状出射面５１６ａは第１環状突出部５１６の外周側の面であり、第１環状反射面５１６ｂは第１環状突出部５１６の内周側の面である。第１環状出射面５１６ａは、第１透光部５１０を透光してきた光を出射する。第１環状出射面５１６ａは、前方に向かうに従って小径になる円錐状をなしている。第１環状反射面５１６ｂは、第１透光部５１０を透光してきた光を反射し、この光を第１環状出射面５１６ａに導く。
【００４８】
第２環状突出部５１７は、第１環状突出部５１６よりも大径な環状の凸部である。第２環状突出部５１７は、中心突出部５１５及び第１環状突出部５１６を囲むように設けられている。第２環状突出部５１７は、フレネルレンズの一部を構成している。第２環状突出部５１７の中心軸は、光軸Ｊと略一致していることが好ましい。第２環状突出部５１７は、断面視で略三角形状をなし、前方に向かうに従って先細になっている。
【００４９】
第２環状突出部５１７は、第２環状出射面５１７ａと、第２環状反射面５１７ｂとを有している。第２環状出射面５１７ａは第２環状突出部５１７の外周側の面であり、第２環状反射面５１７ｂは第２環状突出部５１７の内周側の面である。第２環状出射面５１７ａは、前方に向かうに従って小径になる円錐状をなしている。第１透光部５１０を透光してきた光を出射する。第２環状反射面５１７ｂは、第１透光部５１０を透光してきた光を反射し、この光を第２環状出射面５１７ａに導く。
【００５０】
中心突出部５１５、第１環状突出部５１６および第２環状突出部５１７は、光源３０４から遠ざかる方向に向かって突出する構造である突出部５１３を構成する。突出部５１３は、フレネルレンズ形状である。なお、照明装置１は、このフレネルレンズにより、出射光を集光して、スポット状の照明領域を形成する。なお、フレネルレンズ形状は本実施の形態に限らない。
【００５１】
出射曲面５１５ａ、第１環状出射面５１６ａ、第１環状反射面５１６ｂ、第２環状出射面５１７ａおよび第２環状反射面５１７ｂは、透光する光を出射する第１透光部５１０の第１出射面５１４を構成する。
【００５２】
第２透光部５２０は、第１透光部５１０から突出部５１３の周囲を囲むように、光源３０４から遠ざかる方向に向かって突出する環状の突部である。第２透光部５２０は、透光する光を出射する第２出射面５２３を有している。第２出射面５２３は、第２透光部５２０の前側の面であり、後述する段部５２５の出射表面５２５ａを含む。
【００５３】
第２透光部５２０の内面には、環状の段部５２５が形成されている。
【００５４】
段部５２５は、複数の段から構成されており、階段状をなしている。段部５２５は、突出部５１３に近づく（後方に向かう）につれて小径になっている。言い換えれば、第２透光部５２０の内径は、光源３０４に近づく（後方に向かう）に従って漸次小さくなっている（漸次縮径している）。段部５２５の中心軸は、光軸Ｊと略一致していることが好ましい。
【００５５】
段部５２５を構成する複数の段のそれぞれは、光が出射する出射表面５２５ａと、出射表面５２５ａと略直交する壁面５２５ｂとを有する。各々の出射表面５２５ａ及び各々の壁面５２５ｂが第２出射面５２３を構成している。
【００５６】
出射表面５２５ａは、光軸Ｊと平行な方向と略直交する平面であり、光学部材５０を透光した光が出射する。段部５２５を構成する複数の段の出射表面５２５ａは、突出部５１３に近づくにつれて、その幅が狭くなる。本実施の形態では、出射表面５２５ａの幅は、壁面５２５ｂの幅よりも狭く設定されている。
【００５７】
壁面５２５ｂは、出射表面５２５ａと略直交する。段部５２５を構成する複数の段の壁面５２５ｂは、突出部５１３に近づくにつれて、その幅が狭くなる。
【００５８】
第３透光部５３０は、光源３０４（光源３０４の光軸Ｊ）を囲むように突出する環状の突部である。より具体的には、第３透光部５３０は、第１透光部５１０から第２透光部５２０と反対側に突出する環状の突部である。第３透光部５３０は、断面視で略三角形状をなし、後方に向かうに従って先細になっている。
【００５９】
第３透光部５３０は、内周側に光源３０４から光が入射する第２入射面５２２を有している。第３透光部５３０の先端は、反射部材４０における収容部４０１の底部４０２（反射部材４０における反射面）に近接している。なお、第３透光部５３０の先端と収容部４０１の底部４０２と接触しない程度に近接していることが好ましい。
【００６０】
第２入射面５２２は、光源３０４から遠ざかるに従って小径となる円錐状の面である。第２入射面５２２の中心軸は、光軸Ｊと一致していることが好ましい。第２入射面５２２には、光を拡散させるための拡散構造を有している。拡散構造は、例えば、第２入射面５２２に光拡散膜（光拡散層）を形成することで第２入射面５２２に光拡散機能を持たせることができる。なお、第２入射面５２２の拡散構造は、第１入射面５１２の拡散構造と同様であってもよい。
【００６１】
なお、第２透光部５２０の外周面と第３透光部５３０の外周面とが光学部材５０の外周面５０１を構成している。
【００６２】
図５に示すように、光源３０４の光軸Ｊを含む平面で切断した光学部材５０の断面を断面視した場合において、第１透光部５１０の肉厚部分における第１入射面５１２と第１出射面５１４とに接する第１仮想円Ｋ１の最大直径が、第３透光部５３０の第２入射面５２２、出射表面５２５ａ又は壁面５２５ｂと光学部材５０の外周面５０１とに内接する第２仮想円Ｋ２の最大直径よりも大きい。言い換えれば、第１透光部５１０の肉厚部分における第１入射面５１２と第１出射面５１４とに接する第１仮想円Ｋ１を規定し、第３透光部５３０の第２入射面５２２、出射表面５２５ａ又は壁面５２５ｂおよび光学部材５０の外周面５０１に内接する第２仮想円Ｋ２とを規定すると、第１仮想円Ｋ１の直径は、第２仮想円Ｋ２の直径以上である。
【００６３】
本実施の形態では、第１仮想円Ｋ１は、出射曲面５１５ａと第１入射面５１２とに内接する。また、第２仮想円Ｋ２は、出射表面５２５ａ、壁面５２５ｂおよび外周面５０１に内接する。さらに、第２仮想円Ｋ２は、出射表面５２５ａ又は壁面５２５ｂと、第３透光部５３０の第２入射面５２２と、光学部材５０の外周面５０１とに内接する。
【００６４】
本実施の形態では、段部５２５を構成する３つの段が形成され、かつ、４つの第２仮想円Ｋ２が段ごとに想定されている。４つの第２仮想円Ｋ２のうち、光源３０４側の第２仮想円Ｋ２は、段部５２５および光学部材５０の外周面５０１に接する。残りの３つの第２仮想円Ｋ２は、出射表面５２５ａ、壁面５２５ｂおよび光学部材５０の外周面５０１に接する。なお、第２仮想円Ｋ２の直径が第１仮想円Ｋ１の直径以下であれば、段の数は、特に限定されない。
【００６５】
各々の第２仮想円Ｋ２の直径は、略同一である。つまり、光学部材５０に段部５２５が形成されているものの、第２透光部５２０および第３透光部５３０の肉厚は、光源３０４側の第２仮想円Ｋ２から前側の第２仮想円Ｋ２にかけて同様である。
【００６６】
光学部材５０には、光源３０４と光学部材５０の最外周部分Ｐとを結ぶ光路が形成されている。光源３０４と光学部材５０の最外周部分Ｐとを結ぶ光路には、障壁が存在しない。つまり、光源３０４と光学部材５０の最外周部分Ｐとを結ぶ光路では、光源３０４が出射した光が第３透光部５３０の第２入射面５２２から入射し、この入射した光が最外周部分Ｐに直接到達する。このため、この光路には例えば段部５２５等が存在しておらず、透光する光が段部５２５等によって途中で反射されない。ここで、最外周部分Ｐは、光学部材５０における外周面５０１の前側端縁である。
【００６７】
図２に示すように、光学部材５０は、環状支持部５３９に三つの被係止部５４０が設けられている。本実施の形態では、被係止部５４０は、光学部材５０の環状支持部５３９に設けられた凹状の形状を有する部分である。光学部材５０の被係止部５４０が反射部材４０の係止部４１０に係止されることによって、光学部材５０が反射部材４０に係止される。係止部４１０は、光学部材５０を支持するため爪状の部分を有している。これにより、光学部材５０は、反射部材４０及び取付部材３２を介して隔壁部１６に取り付けられる。また、このように反射部材４０の収容部４０１内に光学部材５０が配置されることにより、反射部材４０で反射された光が、光学部材５０に効率よく入射される。
【００６８】
光制御部材６０は、前後で開く略筒状をなしており、例えば、ポリカーボネート、ＰＢＴなどの樹脂材料を用いて形成されている。光制御部材６０は、筒状部１１における前方空間１２１に収容され、光学部材５０よりも前方に配置されている。
【００６９】
光制御部材６０は、光学部材５０から出射された光が入射される入射開口部６１０と、入射開口部６１０に入射された光が出射される出射開口部６２０とを有している。光制御部材６０は、入射開口部６１０が光学部材５０の近傍に位置し、出射開口部６２０が灯体１０の前方開口部１１１近傍に位置するように配置される。光制御部材６０の内径及び外径は、前方から後方に向かうに従って漸次小さくなっている。
【００７０】
光制御部材６０は、内部を光軸Ｊが通るように配置され、光制御部材６０の中心軸と光軸Ｊとが略一致していることが好ましい。また、光制御部材６０から出射される光を妨げないように、光制御部材６０の前側の外径は、筒状部１１の内径と略等しい。また、光制御部材６０の前側の外径は、筒状部１１の内径と略等しければ、筒状部１１と光制御部材６０との間からの出射光の漏れを抑制する。
【００７１】
光制御部材６０の内面は、黒色のグレア抑制面が形成されている。このように、灯体１０の前方開口部１１１付近の内面は、黒色のグレア抑制面である光制御部材６０の内面で覆われる。このグレア抑制面により、灯体１０の前方開口部１１１付近の内面におけるグレアを抑制する。
【００７２】
光制御部材６０の内面は、黒色のグレア抑制面であれば、特に限定されない。黒色のグレア抑制面は、例えば、黒色に塗装した面に艶消し処理を施すことにより実現できる。また、黒色のグレア抑制面は、黒色に塗装した面、又は、黒色の部材からなる面に、シボ加工を施すことによっても実現できる。本実施の形態では、光制御部材６０の内面におけるグレアをさらに抑制するために、光制御部材６０の内面に段差部６３０（バッフル）を設けている。
【００７３】
図２及び図３に示すように、光制御部材６０は、外周に被係止部６６０を有している。光制御部材６０は、被係止部６６０が筒状部１１の内周面に凹設されている係止部１１４に係止されることにより、灯体１０の内部に保持される。本実施の形態では、被係止部６６０は、凸状の形状を有し、凹状の形状を有する係止部１１４に係止される。
【００７４】
筒状部１１は、切欠部１１３と、遮光壁部１４とを有している。
【００７５】
切欠部１１３は、筒状部１１の後端から前方に向かって形成されたスリットである。切欠部１１３には、後述するアーム７０と係合することが可能なように形成されている。
【００７６】
遮光壁部１４は、取付面１６１から前方に向かって延び、かつ、光源３０４の周囲を囲んでいる。遮光壁部１４は、光源３０４から出射された光のうち、反射部材４０と取付面１６１との隙間から洩れた一部の光が、灯体１０の筒状部１１と反射部材４０との間から漏れることを抑制する。
【００７７】
また、筒状部１１は、前方空間１２１において、隔壁部１６及び筒状部１１の少なくとも一方に一体的に形成されたフィン状の形状を有する複数の前方フィン状部１５を有している。前方フィン状部１５は、隔壁部１６及び筒状部１１の少なくとも一方から熱が伝導され、放熱する機能を有している。なお、前方フィン状部１５は、筒状部１１及び隔壁部１６の両方と一体的に形成されている場合、光源３０４から発生した熱は、隔壁部１６から前方フィン状部１５を介し、筒状部１１に効率よく伝導される。また、前方フィン状部１５は、照明装置１の露出面における凹凸構造を抑制するために、前方空間１２１から灯体１０の外部に出ないように配置される。
【００７８】
図３に示すように、隔壁部１６には、挿通孔１６２と、図示しない二つの貫通孔とが形成されている。
【００７９】
挿通孔１６２は、電源ボックス９０が内蔵する電源回路から、光源３０４に電力を供給するためのリード線９２が挿通される孔である。挿通孔１６２から後方空間１２２に光が漏れることを抑制するために、挿通孔１６２の内径は、リード線９２の外径と略同一であることが好ましい。
【００８０】
貫通孔は、アーム７０を支持するアーム支持台２０を隔壁部１６に固定するための孔である。図２に示す二つのねじ２６がそれぞれ貫通孔を介してアーム支持台２０の前端に形成されたねじ穴に螺合することで、アーム支持台２０が隔壁部１６に固定される。
【００８１】
また、筒状部１１は、後方空間１２２において、筒状部１１及び隔壁部１６の少なくとも一方に一体的に形成されたフィン状の形状を有する図示しない複数の後方フィン状部を備えている。後方フィン状部は、前方フィン状部１５と同様に機能を有している。
【００８２】
アーム支持台２０は、金属材料で形成される。本実施の形態では、アーム支持台２０は、例えばアルミダイカスト工程を経て形成される。アーム支持台２０の外表面の塗装色は、照明装置１の用途などに応じて選択されてよい。本実施の形態では、アーム支持台２０は、灯体１０と同じく白色に塗装される。
【００８３】
アーム支持台２０は、アーム７０を支持する部材である。アーム支持台２０は、後方空間１２２において、灯体１０に固定されている。本実施の形態では、アーム支持台２０は、隔壁部１６の後方空間１２２側に固定されている。
【００８４】
アーム支持台２０は、灯体１０と熱的に接続された放熱部２８と、アーム７０の下端と連結しているアーム支持部２４２とを有している。上述のとおり、本実施の形態では、アーム支持台２０は、灯体１０の隔壁部１６に固定されている。これにより、アーム支持台２０の放熱部２８は、光源３０４から発生した熱を放熱する機能を有する。本実施の形態では、放熱部２８は、アーム支持台２０のうち、後方側に配置される。放熱部２８は、外部に露出される露出面を有している。本実施の形態では、放熱部２８は、略円板状の形状をなし、外部に露出される側の主面には、凹凸形状をなした複数の溝が略上下方向に沿って形成されている。当該溝により、放熱部２８の表面積が増大するため、放熱効率を向上させる。
【００８５】
放熱部２８は、灯体１０の後方空間１２２側の開口である後方開口部１１２を閉塞する。このように放熱部２８によって、後方開口部１１２を閉塞することにより、灯体１０の後方空間１２２に配置された複数の後方フィン状部１７、リード線９２などが外部から視認されることを抑制できる。なお、ここで閉塞は、必ずしも完全な密閉を意味しない。例えば、放熱部２８（つまり、本実施の形態ではアーム支持台２０）を後方開口部１１２から挿入するために必要な隙間が、放熱部２８と後方開口部１１２との間に設けられていてもよい。また、放熱部２８によって、灯体１０の後方空間１２２の内部のほとんどが視認されない程度に塞がれていればよい。
【００８６】
また、放熱部２８の後方空間１２２の外側向きの面は、凹凸構造を有し、後方空間１２２側の内部に配置される。
【００８７】
アーム７０は、一端側（上側）が電源ボックス９０に接続され、かつ、他端側（下側）が灯体１０に接続される部材である。アーム７０は、互いに逆方向に突出した円柱状の回転軸部を有している。本実施の形態では、回転軸部は、光軸Ｊ及びアーム７０の上下方向に垂直な方向に延びる円柱状をなしている。アーム７０は、板ばねとアーム支持台２０のアーム支持部２４２とで挟まれることによって、アーム７０がアーム支持台２０に回転自在に取り付けられる。つまり、アーム７０は、アーム支持台２０を介して灯体１０に接続される。アーム７０は、筒状部１１の側面部に形成された切欠部１１３に配置される。
【００８８】
アーム７０は、金属材料で形成され、例えばアルミダイカスト工程を経て形成される。アーム７０の内部には、アーム７０の上下方向に挿通孔７６が形成されている。挿通孔７６には、リード線９２が挿入され、リード線９２によって電源ボックス９０から発光モジュール３０に電力が供給される。アーム７０は、リード線９２が外部に露出して損傷することを抑制するように構成されている。
【００８９】
電源ボックス９０は、発光モジュール３０に電力を供給する電源回路が内蔵された筐体である。電源ボックス９０に内蔵された電源回路は、電源ボックス９０の外部から供給された交流電力を直流電力に変換し、当該直流電力を、リード線９２を介して発光モジュール３０の光源３０４に供給する。
【００９０】
このような照明装置１において、図４の太い実線で示すように、発光モジュール３０からの光は、例えば、発光モジュール３０の光源３０４と第３透光部５３０の先端との間に存在する反射部材４０の枠体部４０５で反射される。枠体部４０５で反射された光は、第３透光部５３０の第２入射面５２２から入射して内部を透光し、段部５２５の出射表面５２５ａから出射する。また、光源３０４からの光が第１透光部５１０の第１入射面５１２に直接入射した場合では、第１透光部５１０を透光し、第１環状突出部５１６の第１環状出射面５１６ａから出射する。さらに、光源３０４からの光が第１透光部５１０の第２入射面５２２に直接入射した場合では、第１透光部５１０を透光し、光学部材５０の外周面５０１で反射し、第１環状突出部５１６の第１環状出射面５１６ａから出射する。
【００９１】
このように、この照明装置１では、前方向にスポット状の照明領域を形成する。このような光学部材５０によって適切に配光制御される。なお、ここでは、光路の一例を示しており、光路はこれらに限らない。
【００９２】
［比較例］
次に、比較例における照明装置に用いられる光学部材８５０について説明する。
【００９３】
図６は、比較例に係る光学部材８５０を示す断面図である。
【００９４】
比較例の光学部材８５０は、第２透光部８２０に実施の形態のような段部５２５を有していない点で実施の形態と異なる。他の点については、実施の形態と同様であるため、同一の部分についてはその説明を省略する。
【００９５】
図６に示すように、第２透光部８２０には、出射表面８２５ａと、壁面８２５ｂとが形成されている。
【００９６】
出射表面８２５ａは、第２透光部８２０の前側の平面であり、透光した光が出射する光である。出射表面８２５ａは、光軸Ｊ方向と略直交する面である。壁面８２５ｂは、突出部５１３の周囲を囲み、出射表面８２５ａと略直交する。
【００９７】
光源３０４の光軸Ｊを含む平面で切断した光学部材８５０の断面を断面視した場合において、少なくとも第２透光部８２０の肉厚は、第１透光部５１０の最大の肉厚部分の厚み以上となる。具体的には、第１透光部５１０の最大の肉厚部分における第１入射面５１２と第１出射面５１４とに接する第１仮想円Ｋ１を規定し、出射表面８２５ａ、壁面８２５ｂおよび光学部材８５０の外周面５０１に接する第２仮想円Ｋ２、Ｋ３を規定すると、第２仮想円Ｋ２の直径は第１仮想円Ｋ１の直径と同等であるが、第２仮想円Ｋ３の直径が第１仮想円Ｋ１の直径以上となる。
【００９８】
このような比較例の光学部材８５０では、第２仮想円Ｋ３の直径は、第１仮想円Ｋ１の直径よりも大きい。言い換えれば、第２透光部８２０の肉厚は、第１透光部５１０の肉厚よりも厚い。このため、光学部材８５０を成形する場合に、第２透光部８２０における成形時間が第１透光部５１０における成形時間よりも長くなるため、実施の形態の光学部材５０に比べて、比較例の光学部材８５０では、成形時間が長くなり、生産性が低下してしまう。また、比較例の光学部材８５０は、第２透光部８２０が肉厚であるため、材料費の高騰により、製造コストが高騰してしまう。
【００９９】
［作用効果］
次に、本実施の形態おける照明装置１の作用効果について説明する。
【０１００】
上述したように、本実施の形態に係る照明装置１は、光源３０４と、光源３０４の光軸Ｊ上に設けられる光学部材５０とを備える。また、光学部材５０は、光源３０４から遠ざかる方向に向かって突出する構造である突出部５１３を有し、光源３０４から入射した光を透光させて出射する第１透光部５１０と、第１透光部５１０から突出部５１３の周囲を囲むように光源３０４から遠ざかる方向に向かって突出する第２透光部５２０と、第１透光部５１０から第２透光部５２０と反対側に突出する第３透光部５３０とを有する。さらに、第２透光部５２０の内面には、環状の段部５２５が形成される。また、段部５２５を構成する複数の段のそれぞれは、光が出射する出射表面５２５ａと、出射表面５２５ａと略直交する壁面５２５ｂとを有する。さらに、段部５２５を構成する複数の段のそれぞれは、突出部５１３に近づくにつれて、漸次縮径し、かつ、出射表面５２５ａ及び壁面５２５ｂの少なくとも一方の幅が狭くなる。また、第１透光部５１０は、光源３０４からの光が入射する第１入射面５１２と、突出部５１３に形成された第１入射面５１２の反対側の第１出射面５１４とを有する。そして、この照明装置１では、光源３０４の光軸Ｊを含む平面で切断した光学部材５０の断面を断面視した場合において、第１透光部５１０の肉厚部分における第１入射面５１２と第１出射面５１４とに接する第１仮想円Ｋ１の最大直径が、第３透光部５３０の第２入射面５２２、出射表面５２５ａ又は壁面５２５ｂと光学部材５０の外周面５０１とに内接する第２仮想円Ｋ２の最大直径よりも大きい。
【０１０１】
これによれば、段部５２５を構成する複数の段のそれぞれは、突出部５１３に近づくにつれて、漸次縮径し、かつ、出射表面５２５ａ及び壁面５２５ｂの少なくとも一方の幅が狭くなる。外周面５０１で光を全反射させるために、Ｚ軸方向に対する外周面５０１の角度が決定（固定）される場合に、段部５２５を構成する段の数を極力減らすことができる。なぜならば、この光学部材５０では、外周面５０１において最外周部分Ｐに近づくにつれて光束が大きくなっている。このため、突出部５１３に近いほどこの角が密集している方がよく、突出部５１３から遠いほどこの角が密集していない方がよい。このため、例えば出射表面及び壁面の幅を一定にし、突出部５１３に近い出射表面及び壁面の幅に合わせて段部を設計すれば、本実施の形態の場合よりも多くの段が構成されてしまう。このため、この照明装置１では、出射表面５２５ａと壁面５２５ｂとで形成される光学部材５０全体の角（フィレット）が減少する。その結果、この角に入射する光を減らすことができるため、光軸Ｊと平行な平行光を出射し易くなる。
【０１０２】
また、第１透光部５１０の中心突出部５１５を肉厚の最大値としているため、第２仮想円Ｋ２の直径が第１仮想円Ｋ１の直径以下であれば、第２透光部５２０の成形時間が第１透光部５１０の成形時間よりも長時間化することもない。この光学部材５０では、第２透光部５２０の内面に環状の段部５２５が形成されているため、比較例の光学部材８５０に比べて、成形時間を短縮することができる。
【０１０３】
したがって、この照明装置１では、光学部材５０に要求される中心光度と集光性能とを向上しつつ、光学部材５０の成形時間の延長を抑制することができる。
【０１０４】
特に、この光学部材５０は、第２透光部５２０に段部５２５が形成されているため、比較例の光学部材８５０に比べて材料費を抑制することができるため、製造コストの高騰化を抑制することができる。
【０１０５】
また、本実施の形態に係る光学部材５０は、光源３０４の光軸上に設けられる。また、光学部材５０は、光源３０４から遠ざかる方向に向かって突出する構造である突出部５１３を有し、光源３０４から入射した光を透光させて出射する第１透光部５１０と、第１透光部５１０から突出部５１３の周囲を囲むように光源３０４から遠ざかる方向に向かって突出する第２透光部５２０と、第１透光部５１０から第２透光部５２０と反対側に突出する第３透光部５３０とを有する。さらに、第２透光部５２０の内面には、環状の段部５２５が形成される。また、段部５２５を構成する複数の段のそれぞれは、光が出射する出射表面５２５ａと、出射表面５２５ａと略直交する壁面５２５ｂとを有する。さらに、段部５２５を構成する複数の段のそれぞれは、突出部５１３に近づくにつれて、漸次縮径し、かつ、出射表面５２５ａ及び壁面５２５ｂの少なくとも一方の幅が狭くなる。また、第１透光部５１０は、光源３０４からの光が入射する第１入射面５１２と、突出部５１３に形成された第１入射面５１２の反対側の第１出射面５１４とを有する。そして、光学部材５０では、光源３０４の光軸Ｊを含む平面で切断した光学部材５０の断面を断面視した場合において、第１透光部５１０の肉厚部分における第１入射面５１２と第１出射面５１４とに接する第１仮想円Ｋ１の最大直径が、第３透光部５３０の第２入射面５２２、出射表面５２５ａ又は壁面５２５ｂと光学部材５０の外周面５０１とに内接する第２仮想円Ｋ２の最大直径よりも大きい。
【０１０６】
この光学部材５０を用いた照明装置１においても同様の作用効果を奏する。特に、光学部材５０は、照明装置１に好適である。
【０１０７】
また、本実施の形態に係る照明装置１において、第２仮想円Ｋ２は、複数の段ごとに想定される。そして、各々の第２仮想円Ｋ２の直径は、略同一である。
【０１０８】
これによれば、各々の第２仮想円Ｋ２の直径は略均一であるため、Ｚ軸方向に対する外周面５０１の角度が決定される場合に、段部５２５を構成する段の数をより減らすことができる。このため、出射表面５２５ａと壁面５２５ｂとで形成される角に入射する光をより減らすことができるため、光軸Ｊと平行な平行光をより出射し易くなる。
【０１０９】
また、第２透光部５２０および第３透光部５３０の肉厚が第１透光部５１０の肉厚以上の厚みになり難くなる。このため、光学部材５０を成形する際に、第２透光部５２０および第３透光部５３０の成形時間が第１透光部５１０の成形時間よりも長くなることもないため、光学部材５０の成形時間が長くなることもない。したがって、生産性が低下し難い。
【０１１０】
また、本実施の形態に係る照明装置１において、段部５２５を構成する複数の段は、突出部５１３に近づくにつれて、壁面５２５ｂの幅が狭くなる。
【０１１１】
外周面５０１で光を全反射させるために、Ｚ軸方向に対する外周面５０１の角度が決定（固定）される場合に、突出部５１３に近づくにつれて壁面５２５ｂの幅が狭くなる構成であるため、段部５２５を構成する段の数を極力減らすことができる。このため、光学部材５０に要求される中心光度と集光性能とを向上することができる。
【０１１２】
また、本実施の形態に係る照明装置１において、段部５２５を構成する複数の段は、突出部５１３に近づくにつれて、出射表面５２５ａの幅が狭くなる。
【０１１３】
これによれば、突出部５１３に遠ざかるにつれて出射表面５２５ａの幅が広くなるため、出射表面５２５ａと壁面５２５ｂとで形成される角に入射する光を減らすことができる。また、この光学部材５０では、外周面５０１において最外周部分Ｐに近づくにつれて光束が大きくなっている。このため、突出部５１３に近いほどこの角が密集している方がよく、突出部５１３から遠いほどこの角が密集していない方がよい。このため、光学部材５０に要求される中心光度と集光性能とを向上することができる。
【０１１４】
また、本実施の形態に係る照明装置１は、光源３０４と光学部材５０の最外周部分Ｐとを結ぶ光路には、障壁が存在しない。
【０１１５】
これによれば、光源３０４と光学部材５０の最外周部分Ｐとを結ぶ光路では、光源３０４が出射した光が第３透光部５３０の第２入射面５２２から入射し、この入射した光が最外周部分Ｐに直接到達することができる。この光路には段部５２５等が存在していないため、透光する光が段部５２５等によって途中で反射されることもない。このため、光学部材５０に要求される中心光度と集光性能とをより向上することができる。
【０１１６】
また、本実施の形態に係る照明装置１は、突出部５１３は、フレネルレンズ形状である。
【０１１７】
この構成によれば、突出部５１３の肉厚を薄くすることができる。このため、突出部５１３を成形する時間を短くすることができるとともに、光学部材５０の軽量化や製造コストの増大化を防止することができる。
【０１１８】
特に、突出部５１３がフレネルレンズ形状であれば、光学部材５０の集光性を確保することができる。
【０１１９】
（その他変形例等）
以上、本発明に係る照明装置について、本実施の形態に基づいて説明したが、本発明は、上記実施の形態に限定されるものではない。
【０１２０】
例えば、上記実施の形態において、第１突出部は、第１環状突出部と、第２環状突出部との２つの環状突出部を有しているが、第２環状突出部よりも大径な環状をなす複数の環状突出部が設けられていてもよい。
【０１２１】
また、上記実施の形態において、図４に示すように、枠体部４０５は、第３透光部５３０の先端（後端）と光源３０４との間で、光源３０４からの光を遮るように設けられている。具体的には、枠体部４０５は、光源３０４からの光が第３透光部５３０の後端に直接入射しないように第３透光部５３０の先端（後端）と光源３０４との間に配置されている。言い換えれば、枠体部４０５は、第３透光部５３０（壁部の一例）の先端と光源３０４とを結ぶ直線上に存在している。この場合、光源３０４に近い位置にある第３透光部５３０に光源３０４からの光が直接照射され難くなる。このため、第３透光部５３０の温度上昇を抑制することができる。
【０１２２】
また、上記実施の形態において、後方フィン状部は、筒状部及び隔壁部の両方と一体的に形成されているが、後方フィン状部の構成はこれに限定されない。後方フィン状部は、筒状部及び隔壁部の少なくとも一方に一体的に形成されていればよい。
【０１２３】
また、上記実施の形態において、前方フィン状部は、筒状部、隔壁部及び遮光壁部のいずれとも一体的に形成されているが、前方フィン状部の構成はこれに限定されない。前方フィン状部は、筒状部、隔壁部及び遮光壁部の少なくとも一つに一体的に形成されていればよい。
【０１２４】
また、上記実施の形態における光源において、ＣＯＢ型ＬＥＤを用いたが、他の固体発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子を用いてもよい。
【０１２５】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１２６】
１  照明装置
４０  反射部材
５０  光学部材
３０４  光源
５０１  外周面
５１０  第１透光部
５１２  第１入射面（入射面）
５１３  突出部
５１４  第１出射面（出射面）
５２０  第２透光部
５２２  第２入射面（内周面）
５２５  段部
５２５ａ  出射表面
５２５ｂ  壁面
５３０  第３透光部
Ｋ１  第１仮想円
Ｋ２  第２仮想円
【図１】
2018147746.tif 000003
【図２】
2018147746.tif 000004
【図３】
2018147746.tif 000005
【図４】
2018147746.tif 000006
【図５】
2018147746.tif 000007
【図６】
2018147746.tif 000008